(57)【要約】【課題】スピーカーの駆動による機器ハウジングの振動を良好に抑制することができる、カバーを提供する。【解決手段】カバー１０は、カバー本体１１１と、前記カバー本体１１１に隣接して配され、該カバー本体１１１を構成する材料よりも高剛性の材料で形成された積層部材２と、を有し、前記カバー本体１１１は、該積層部材２を構成する材料よりも振動の内部損失の大きい材料で形成されている。【選択図】図１
2014099823.tif 000002
【特許請求の範囲】
【請求項１】
カバー本体と、
前記カバー本体に隣接して配され、該カバー本体を構成する材料よりも高剛性の材料で形成された積層部材と、
を有し、
前記カバー本体は、該積層部材を構成する材料よりも振動の内部損失の大きい材料で形成されている、カバー。
【請求項２】
前記積層部材は、
前記カバー本体における一方の側に配される第一積層部材と、
前記カバー本体における前記一方の側と反対側に配される第二積層部材とを有する、
請求項１に記載のカバー。
【請求項３】
前記カバー本体を構成する材料の単位体積当たりの振動の内部損失が、前記積層部材を構成する材料の単位体積当たりの振動の内部損失よりも大きい、
請求項１または請求項２に記載のカバー。
【請求項４】
前記カバー本体は、カーボンを含む材料により形成された、
請求項１ないし請求項３の何れか一項に記載のカバー。
【請求項５】
前記積層部材は、前記カバー本体に接合された格子状部を有する、
請求項１ないし請求項４の何れか一項に記載のカバー。
【請求項６】
バッテリーが装填されるバッテリー装填部が形成された機器ハウジングと、
前記機器ハウジングに搭載され、前記バッテリー装填部に装填された前記バッテリーの電力により駆動されることで音波を出力するスピーカーと、
前記バッテリー装填部に装填された前記バッテリーを覆うように前記機器ハウジングに装着される請求項１ないし請求項５の何れか一項に記載のカバーと、
を有する、携帯音響機器。
【請求項７】
電力により駆動されることで音波を出力するスピーカーを機器ハウジングに搭載し、
前記機器ハウジングに形成されたバッテリー装填部に前記電力を出力するバッテリーを装填し、
前記バッテリー装填部に装填された前記バッテリーを覆う請求項１ないし５の何れか一項に記載のカバーを前記機器ハウジングに装着する、
振動抑制方法。
【発明の詳細な説明】
【技術分野】
【０００１】
本発明は、機器ハウジングに装着されるカバー、このカバーを有する携帯音響機器、機器ハウジングの振動をカバーにより抑制する振動抑制方法、に関する。
【背景技術】
【０００２】
スマートフォンやタブレット端末など、音楽再生やハンズフリー通話などの音響機能を商品価値とした、薄型の携帯音響機器の開発が活発化している。特に、スピーカーでの音響機能については、スピーカーホンや動画再生機能を利用するシーンが拡大しているため、大音量かつ高品質な音波出力が要望されている。このような携帯音響機器において、大音量かつ高品質な音波出力を実現するには、電気音響変換効率の高いハイパワーなスピーカーの実装が不可欠である。
【０００３】
しかしながら、上述のような携帯音響機器は、薄型化に伴って機器ハウジングの剛性が低下する。このような機器ハウジングにハイパワーなスピーカーを実装した場合、機器ハウジングの振動が誘発されることでノイズ音波を発生し、出力音波を阻害することがある。すなわち、ハイパワーなスピーカーの音波出力時には、その振動が機器ハウジングに伝播し、機器ハウジングが振動する。
【０００４】
この機器ハウジングの振動によりノイズ音波が発生するので、たとえば、スピーカーの出力音波と逆位相で干渉すると、出力音波のキャンセリングが発生する。また、同相で干渉すると出力音波が無用に増幅される。このような出力音波のキャンセリングや無用な増幅は、出力音波の音量および品質を阻害するものであり、上述のように携帯音響機器の薄型化およびスピーカーのハイパワー化により顕著となる。
【０００５】
高品質な音波出力には、幅広い周波数帯域、とくに一般的に人間の可聴域と云われている２００Ｈｚ〜２０ｋＨｚを再生できること、周波数の音圧が平坦であること、が望まれる。周波数帯域については、重低音を再現するためには、５００Ｈｚ以下の再生が望まれる。しかしながら、このような重低音をスピーカーで再生した場合、機器ハウジングの共振周波数と重合することが多々ある。また、周波数の平坦性については、音響特性の山谷が生じた場合、ある特定の周波数で音響の減衰や強調が発生し、音質が劣化することになる。
【０００６】
このように、高音質な音波出力にはスピーカーの音響特性だけでなく、機器ハウジングの制振を考慮することが必要である。従来、スピーカーの音波出力時の機器ハウジングの振動を抑制する手法としては、機器ハウジングの剛性を増加させることや、制動部材を振動部に付与することが挙げられる。
【０００７】
機器ハウジングの剛性と厚みの依存性については、厚みの三乗に寄与するため、有用な手段として考慮できるが、機器ハウジング厚みの増加を伴うため、薄型化が要求されている携帯音響機器においては必ずしも好ましい手法とは言えない。また、機器ハウジングに金属材料を使用する手法もあるが、重量の増加などの問題点がある。また、携帯音響機器が無線通信する場合、機器ハウジングの導電性によるアンテナ特性の劣化の問題もある。
【０００８】
さらには、機器ハウジングに制振部材を搭載する手法もある。このような制振部材としては、内部損失の高いカーボン系材料が挙げられる。しかしながら、このような制振部材を配置するスペースとしては、機器ハウジングの間隙などあるが、振動エネルギーの吸収には、ある程度の厚みが必要である。このため、携帯電話端末などのような小型の携帯音響機器においては、これも必ずしも適切な手法ではない。
【０００９】
たとえば、軽量で、かつ剛性、耐衝撃性、嵌合性、耐熱寸法安定性、ウエルド安定性およびメッキ付着性に優れた０.１cｍ以下の厚みの電子機器用の超薄肉筐体の提案がある(たとえば、特許文献１参照)。その電子機器用の超薄肉筐体である機器ハウジングは、熱可塑性樹脂単独、または、この熱可塑性樹脂に、炭素繊維、ガラス繊維、有機フィラー、無機フィラーのうちから選択される少なくとも一種の強化材料を充填した複合材料からなり、かつ厚さが０.１cｍ以下の超薄肉に成形した。または、熱可塑性樹脂を二種以上混合して調製したアロイ樹脂単独、または、このアロイ樹脂に、炭素繊維、ガラス繊維、有機フィラー、無機フィラーのうちから選択される少なくとも一種の強化材料を充填した複合材料からなり、かつ厚さが０.１cｍ以下の超薄肉に成形した。
【００１０】
さらには、電気・電子機器筐体に好適な一体化成形体となる、繊維強化複合材料の提案もある(たとえば、特許文献２参照)。その繊維強化複合材料は、エポキシ樹脂、アミン系硬化剤、リン化合物、を含み、かつリン化合物がリン原子濃度にして０．２〜１５重量％含まれる、炭素繊維強化複合材料用のエポキシ樹脂組成物として形成される。このようなエポキシ樹脂組成物からなる繊維強化複合材料は、たとえば、いわゆるノートＰＣ（Personal Computer）や携帯電話端末などの携帯音響機器の機器ハウジングに利用することができる。
【先行技術文献】
【特許文献】
【００１１】
【特許文献１】特開平０７−０６０７７７号公報
【特許文献２】特開２０１２−０８６５７８号公報
【発明の概要】
【発明が解決しようとする課題】
【００１２】
しかしながら、特許文献１，２に記載の機器ハウジングは、ハイパワーなスピーカーを搭載した場合に誘発される振動に関しては考慮されていない。このため、特許文献１，２に記載の機器ハウジングでは、スピーカーを搭載して駆動したとき、発生する振動を抑制することは期待できない。
【００１３】
本発明の目的は、上述のような課題を解決するための技術を提供することである。
【課題を解決するための手段】
【００１４】
本発明のカバーは、カバー本体と、前記カバー本体に隣接して配され、該カバー本体を構成する材料よりも高剛性の材料で形成された積層部材と、を有し、前記カバー本体は、該積層部材を構成する材料よりも振動の内部損失の大きい材料で形成されている。
【００１５】
本発明の携帯音響機器は、バッテリーが装填されるバッテリー装填部が形成された機器ハウジングと、前記機器ハウジングに搭載され、前記バッテリー装填部に装填された前記バッテリーの電力により駆動されることで音波を出力するスピーカーと、前記バッテリー装填部に装填された前記バッテリーを覆うように前記機器ハウジングに装着される本発明のカバーと、を有する。
【００１６】
本発明の振動抑制方法は、電力により駆動されることで音波を出力するスピーカーを機器ハウジングに搭載し、前記機器ハウジングに形成されたバッテリー装填部に前記電力を出力するバッテリーを装填し、前記バッテリー装填部に装填された前記バッテリーを覆う本発明のカバーを前記機器ハウジングに装着する。
【発明の効果】
【００１７】
本発明のカバーは、スピーカーの駆動による機器ハウジングの振動を良好に抑制することができる。
【００１８】
本発明の機器ハウジングは、スピーカーの駆動による振動をカバーにより良好に抑制することができる。
【００１９】
本発明の振動抑制方法は、スピーカーの駆動による機器ハウジングの振動をカバーにより良好に抑制することができる。
【図面の簡単な説明】
【００２０】
【図１】本発明の第一実施形態におけカバーを示す模式的な縦断側面図である。
【図２】本発明の第二実施形態における携帯電話端末の内部構造を示す模式的な縦断側面図である。
【図３】本発明の第三実施形態における携帯音響機器である携帯電話端末のカバーを示す模式的な縦断側面図である。
【図４】本発明の第三実施形態における携帯電話端末の内部構造を示す模式的な縦断側面図である。
【図５】本発明の第三実施形態における携帯電話端末の内部構造を示す模式的な縦断側面図である。
【図６】本発明の第三実施形態における携帯電話端末の内部構造を示す模式的な分解斜視図である。
【図７】本発明の第三実施形態におけるカバーの第一の変形例を示す模式的な縦断側面図である。
【図８】本発明の第三実施形態におけるカバーの第二の変形例を示す模式的な縦断側面図である。
【図９】本発明の第三実施形態におけるカバーの第三の変形例を示す模式的な縦断側面図である。
【図１０】本発明の第三実施形態におけるカバーの第一の比較例を示す模式的な縦断側面図である。
【図１１】本発明の第三実施形態におけるカバーの第二の比較例を示す模式的な縦断側面図である。
【図１２】本発明の実施例として、第三実施形態、第一から第三の変形例、第一および第二の比較例、の周波数および音圧レベルの関係を示す特性図である。
【図１３】本発明の実施の形態における携帯電話端末の一変形例の内部構造を示す模式的な縦断側面図である。
【発明を実施するための形態】
【００２１】
（第一実施形態）
本発明の第一実施形態形態に係るカバーの最小構成について、図１を参照して説明する。
カバー１０は、カバー本体１１１と、積層部材の一例である樹脂部材２と、を有する。カバー本体１１１は、平板状の部材などであって、樹脂部材２を構成する材料よりも振動の内部損失の大きい材料で形成されている。樹脂部材２は、カバー本体１１１を構成する材料よりも高剛性の材料で形成され、カバー本体１の片面に積層されている。
【００２２】
このように構成されたカバー１０では、例えば振動する対象物（不図示）に隣接してカバー１０が配されると、カバー本体１１１が振動の内部損失の大きい材料で形成されているため、振動を低減することができる。また、カバー本体１１１が、より高剛性な樹脂部材２で拘束されているため、対象物の振動時のエネルギーが緩和され、該対象物の振動を確実に低減することができる。
【００２３】
（第二実施形態）
本発明の第二実施形態に係る携帯音響機器について、図２を参照して説明する。
携帯音響機器２０は、スピーカー１３と、カバー１０と、該スピーカー１３が収容された機器ハウジング１２とを有している。
【００２４】
機器ハウジング１２には、バッテリー１４が装填されるバッテリー装填部１５が形成されている。スピーカー１３は、機器ハウジング１２に搭載されており、バッテリー装填部１５に装填されたバッテリー１４の電力により駆動されることで音波を出力する。カバー１０は、バッテリー装填部１５に装填されたバッテリー１４を覆うように機器ハウジング１２に装着される。
【００２５】
次に、上記のように構成された携帯音響機器２０における振動抑制方法の最小構成について説明する。
まず、電力により駆動されることで音波を出力するスピーカー１３を機器ハウジング１２に搭載する。次に、機器ハウジング１２に形成されたバッテリー装填部１５に電力を出力するバッテリー１４を装填する。次に、バッテリー装填部１５に装填されたバッテリー１４を覆うカバー１０を機器ハウジング１２に装着する。
【００２６】
このように構成された携帯音響機器２０及び振動抑制方法では、カバー１０が内部損失の大きい材料で形成されたカバー本体１１１を有するため、スピーカー１３で発生した音波による機器ハウジング１２の振動を、確実に低減することができる。
【００２７】
（第三実施形態）
本発明の第三実施形態に係るカバーについて、図３ないし図６を参照して以下に説明する。
この実施形態において、前述した実施形態で用いた部材と同一の部材には同一の符号を付して、その説明を省略する。
本実施の形態のカバーの一例であるバッテリーカバー１１０は、図３に示すように、カバー本体１１１と、積層部材である一対の樹脂部材１１２と、を有する。一対の樹脂部材１１２は、カバー本体１１１を構成する材料よりも高剛性の材料で形成され、カバー本体１１１の両面に個々に積層されている。より具体的には、本実施の形態のバッテリーカバー１１０では、たとえば、上述のように平板状のカバー本体１１１の両面に厚膜状の第一積層部材、第二積層部材１１２，１１２が密着されている。
【００２８】
カバー本体１１１は、カーボンを含む材料の一例としてＣＦＲＰ（Carbon-Fiber Reinforced Plastic）などにより形成されている。樹脂部材１１２は、樹脂を含む材料の一例としてＰＶＤＦ（Polyvinylidene fluoride）などの圧電フィルムにより形成されている。
このため、カバー本体１１１を形成しているＣＦＲＰに起因した振動の内部損失は、樹脂部材１１２を形成しているＰＶＤＦに起因した振動の内部損失より大きい。カバー本体１１１は、０．９ｍｍなどの板厚に形成されており、樹脂部材１１２は、カバー本体１１１の板厚の１／３０以下である０．０３ｍｍなどの厚みに形成されている。
【００２９】
そして、本実施の形態の携帯音響機器であるスマートフォン１００は、図４に示すように、スピーカー１３０と、本実施の形態のバッテリーカバー１１０と、を有する。機器ハウジング１２０は、バッテリー１４０が装填されるバッテリー装填部１２１が形成されている。スピーカー１３０は、機器ハウジング１２０に搭載されており、バッテリー装填部１２１に装填されたバッテリー１４０の電力により駆動されることで音波を出力する。バッテリーカバー１１０は、バッテリー装填部１２１に装填されたバッテリー１４０を覆うように機器ハウジング１２０に装着される。
【００３０】
より詳細には、本実施の形態のスマートフォン１００では、図５および図６に示すように、扁平な直方体のボックス状に機器ハウジング１２０が形成されている。この機器ハウジング１２０は、たとえば、樹脂部材１１２と同一の樹脂により形成されている。この機器ハウジング１２０の内部には、回路基板１５０が配置されており、この回路基板１５０に、スピーカー１３０が搭載されている。このスピーカー１３０と対向する位置には、複数の小孔からなる音孔１２２が機器ハウジング１２０に形成されている。
【００３１】
さらには、この機器ハウジング１２０には、回路基板１５０の図中上方にバッテリー装填部１２１が凹状に形成されている。そして、このバッテリー装填部１２１を閉止するように、バッテリーカバー１１０が機器ハウジング１２０に着脱自在に装着されている。また、回路基板１５０の図中下方には、図５に示すように、タッチパネル１６０が配置されており、このタッチパネル１６０が機器ハウジング１２０の透明な窓部１２３に内部から対向している。なお、本実施の形態のスマートフォン１００は、たとえば、通話機能も有しており、通話用のマイクロフォンおよびスピーカー、無線通信用の通信回路および無線アンテナ、なども有している（図示せず）。
【００３２】
上述のような構成において、本実施の形態のスマートフォン１００では、機器ハウジング１２０に形成されたバッテリー装填部１２１にバッテリー１４０を装填し、機器ハウジング１２０に装着するバッテリーカバー１１０により、バッテリー装填部１２１に装填されたバッテリー１４０を覆う。このような状態で、バッテリー１４０が出力する電力は、回路基板１５０からスピーカー１３０やタッチパネル１６０まで供給される。このため、本実施の形態のスマートフォン１００では、たとえば、タッチパネル１６０の入力操作に対応して、回路基板１５０で各種のデータ処理が実行される。そして、このデータ処理に対応した音波がスピーカー１３０から出力されるとともに、画像がタッチパネル１６０に表示される。
【００３３】
たとえば、上述のデータ処理が記録された動画の再生の場合、その動画の音波がスピーカー１３０から連続的に出力されるとともに、動画の画像がタッチパネル１６０に連続的に表示される。このとき、スマートフォン１００は、離間したエンドユーザに充分な音波を出力するため、人間の聴覚に対応した２００Ｈｚ〜２ｋＨｚの周波数の音波を、スピーカー１３０から高い音圧で出力する。とくに、重低音を良好な音質で出力するため、５００Ｈｚ以下の周波数の音波が、スピーカー１３０から高い音圧で出力される。
【００３４】
しかしながら、一般的にスマートフォン１００は機器ハウジング１２０が極端に扁平な薄型に形成されているため、上述のようにスピーカー１３０が音波を出力した場合、その周波数が機器ハウジング１２０の共振周波数と重合することがある。このような場合、通常は機器ハウジング１２０が共振してノイズ音波を出力することになるが、本実施の形態のスマートフォン１００では、機器ハウジング１２０にバッテリーカバー１１０が装着されている。
【００３５】
このバッテリーカバー１１０は、ＣＦＲＰからなるカバー本体１１１の両面にＰＶＤＦからなる樹脂部材１１２が密着されている。つまり、内部損失が大きいカバー本体１１１の両面が、より高剛性な樹脂部材１１２で拘束されている。このため、本実施の形態のスマートフォン１００では、バッテリーカバー１１０が機器ハウジング１２０に対して充分な制振材として作用することになる。
【００３６】
なお、このようにバッテリーカバー１１０が機器ハウジング１２０の振動を抑制するときには、機器ハウジング１２０によりバッテリーカバー１１０が振動されることになる。しかしながら、バッテリーカバー１１０のカバー本体１１１はＣＦＲＰからなるため、振動の内部損失が大きい。このため、バッテリーカバー１１０の機械的Ｑ（Quality）が低減されており、共振ピークが減衰されている。したがって、バッテリーカバー１１０の共振も充分に抑制されている。
【００３７】
したがって、本実施の形態のスマートフォン１００では、スピーカー１３０が、上述のように２００Ｈｚ〜２ｋＨｚの周波数の、とくに、５００Ｈｚ以下の周波数の音波を高い音圧で出力しても、その振動による機器ハウジング１２０の共振がバッテリーカバー１１０により充分に抑制され、バッテリーカバー１１０の共振も抑制されている。このため、本実施の形態のスマートフォン１００は、スピーカー１３０により、２００Ｈｚ〜２ｋＨｚの周波数の、とくに、５００Ｈｚ以下の周波数の音波を、高い音圧で良好な音質で出力することができる。
【００３８】
しかも、本実施の形態のスマートフォン１００は、バッテリーカバー１１０を有するため、機器ハウジング１２０の共振を抑制するために専用の機構を増設する必要がない。さらには、カバー本体１１１を形成する材料としてＣＦＲＰなどの熱伝導率の高い材料を用いると、電力を出力するバッテリー１４０は発熱するが、スマートフォン１００はバッテリー１４０の発熱をバッテリーカバー１１０から良好に放熱する効果を得ることもできる。
【００３９】
なお、本発明は本実施の形態に限定するものではなく、その要旨を逸脱しない範囲で各種の変形を許容する。たとえば、上記形態ではバッテリーカバー１１０のカバー本体１１１がカーボンを含有した材料としてＣＦＲＰからなることを例示した。このようなカバー本体１１１の材料にはカーボンファイバーやカーボンシートなどを利用できるが、樹脂部材１１２と比較して、減衰係数が１／１００以下であり、厚みが３０倍以上であれば、カーボンを含有した材料でなくともよい。
【００４０】
また、上記形態ではバッテリーカバー１１０のカバー本体１１１が平板状に形成されており、その両面に厚膜状の樹脂部材１１２が密着されていることを例示した。しかしながら、図７に例示するバッテリーカバー２１０のように、カバー本体２１１の両面に格子状の凹部が形成されており、樹脂部材２１２に凸部からなる格子状部２１３が形成されていてもよい。この場合、カバー本体２１１および樹脂部材２１２の接合が強固となり、さらに制振性が向上することが期待される。とくに、バッテリーカバー２１０の固有振動の節（ノード）の位置に、樹脂部材２１２の格子状部２１３の交差点を配置することにより、バッテリーカバー２１０の固有振動を高剛性な樹脂部材２１２の格子状部２１３により良好に抑制することができる。
【００４１】
同様に、図８に例示するバッテリーカバー２２０のように、カバー本体２２１の両面に形成されている格子状の凹部が半円状の断面形状に形成されており、樹脂部材２２２の格子状部２２３が対応する半円状の断面形状に形成されていてもよい。また、図９に例示するバッテリーカバー２３０のように、カバー本体２３１の両面に形成されている格子状の凹部が三角状の断面形状に形成されており、樹脂部材２３２の格子状部２３３が対応する三角状の断面形状に形成されていてもよい。
【００４２】
なお、本発明者は上述のようなバッテリーカバー１１０，２１０，３１０，４１０、図１０に示すように、単純な樹脂のみからなる第一の比較例であるバッテリーカバー３１０、ポリウレタンからなるカバー本体３２１の両面に樹脂３２２を積層した第二の比較例であるバッテリーカバー３２０、を実際に試作し、その周波数と音圧レベルとの特性を計測した。すると、本発明の実施例として、図１２に示すように、比較例のバッテリーカバー３１０,３２０より実施の形態のバッテリーカバー１１０が優位であること、実施の形態のバッテリーカバー１１０より変形例のバッテリーカバー２１０，２２０，２３０が優位であることが、実測値として確認された。
【００４３】
また、上記形態では携帯音響機器がソリッド構造の携帯音響機器であるスマートフォン１００からなることを例示した。しかしながら、このような携帯音響機器が、折り畳み構造やソリッド構造の携帯電話端末からなること、折り畳み構造やスライド構造やソリッド構造の、スマートフォン、タブレット端末、ネットブックＰＣ（Personal Computer）、ノートＰＣ、ＰＤＡ（Personal Digital Assistance）、電子書籍リーダー、電子辞書、携帯メディアプレーヤー、携帯ゲーム機、などからなることを許容する（図示せず）。
【００４４】
たとえば、上記形態では携帯音響機器として機器ハウジング１２０が単純なボックス状に形成されており、この機器ハウジング１２０の一面の透明な窓部１２３にタッチパネル１６０が内部から対向しているスマートフォン１００を例示した。しかしながら、図１３に例示する携帯音響機器４００のように、機器ハウジング４２０が扁平な二重壁のボックス状に形成されており、このような二重壁の機器ハウジング４２０にバッテリー装填部４２１や音孔４２２が形成されていてもよい。この携帯音響機器４００は、たとえば、機器ハウジング４２０の一面の透明な窓部は形成されておらず、タッチパネルも搭載されていない。このような携帯音響機器４００では、機器ハウジング４２０が二重壁のボックス状に形成されているので、より良好に機器ハウジング４２０の振動を抑制することができる。
【００４５】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００４６】
例えば、上記の実施形態において、カバーは、カバー本体と積層部材とが一体として構成されたものや、別々の部材が分離可能に構成されたものの何れであってもよい。
【００４７】
また、積層部材は、上記のように樹脂部材で形成される他、ステンレス、アルミ等の金属により形成されていてもよい。
【符号の説明】
【００４８】
２０，１００  携帯音響機器であるスマートフォン
１０，１１０，２１０，２２０，２３０  カバー
１１１，２１１，２２１，２３１  カバー本体
２，１１２，２１２，２２２，２３２  積層部材である樹脂部材
１２，１２０，４２０  機器ハウジング
１５，１２１，４２１  バッテリー装填部
１３，１３０  スピーカー
２１３，２２３，２３３  格子状部
４００  携帯音響機器
【図１】
2014099823.tif 000003
【図２】
2014099823.tif 000004
【図３】
2014099823.tif 000005
【図４】
2014099823.tif 000006
【図５】
2014099823.tif 000007
【図６】
2014099823.tif 000008
【図７】
2014099823.tif 000009
【図８】
2014099823.tif 000010
【図９】
2014099823.tif 000011
【図１０】
2014099823.tif 000012
【図１１】
2014099823.tif 000013
【図１２】
2014099823.tif 000014
【図１３】
2014099823.tif 000015